(57)【要約】      （修正有） 【課題】ユニットバスのシャワーによりトイレットペーパーロールが濡れてしまうといった事態を確実に防止すると共に、トイレットペーパーロールの使用を妨げることがないトイレットペーパーホルダー用カバー部材を提供する。【解決手段】トイレットペーパーロール１１を保持するトイレットペーパーホルダー１２を被覆するトイレットペーパーホルダー用カバー部材１０であって、トイレットペーパーホルダーのフラップ部１３上面に固定され、トイレットペーパーロールを被覆する平面長方形状の上部被覆部１４と、上部被覆部の幅方向両端部１５に配設され、トイレットペーパーロールの両側部１６を被覆する両側部被覆部１７とを備え、上部被覆部の幅方向両端部１５は、トイレットペーパーロールの引き出し方向に沿って両側部被覆部１７と接合されている。【選択図】図３
0003208423.tif 000002
【実用新案登録請求の範囲】
【請求項１】
トイレットペーパーロールを保持するトイレットペーパーホルダーを被覆するトイレットペーパーホルダー用カバー部材であって、
前記トイレットペーパーホルダーのフラップ部上面に固定され、前記トイレットペーパーロールを被覆する平面長方形状の上部被覆部と、前記上部被覆部の幅方向両端部に配設され、前記トイレットペーパーロールの両側部を被覆する両側部被覆部とを備え、
前記上部被覆部の幅方向両端部は、前記トイレットペーパーロールの引き出し方向に沿って前記両側部被覆部と接合されていることを特徴とするトイレットペーパーホルダー用カバー部材。
【請求項２】
前記上部被覆部の後端部には、前記トイレットペーパーホルダーに取付固定するための延設固定部が形成され、
前記上部被覆部は、前記上部被覆部と前記延設固定部との接合端部において幅方向に沿って回動可能に構成されていることを特徴とする請求項１記載のトイレットペーパーホルダー用カバー部材。
【請求項３】
前記上部被覆部の前端部には、前記両側部被覆部との接合端部から長さ方向外方に延設された延設被覆部が形成されていることを特徴とする請求項１又は２に記載のトイレットペーパーホルダー用カバー部材。
【請求項４】
請求項１〜３のいずれか１項に記載のトイレットペーパーホルダー用カバー部材の前記延設固定部に取付可能であって、予備のトイレットペーパーロールを収納しうる予備ロール収納部を有することを特徴とする第二のトイレットペーパーホルダー用カバー部材。
【請求項５】
前記予備ロール収納部は、前記予備のトイレットペーパーロールを保持する本体部と、前記本体部を前方から被覆する蓋部とを有していることを特徴とする請求項４記載の第二のトイレットペーパーホルダー用カバー部材。
【請求項６】
前記トイレットペーパーホルダー用カバー部材の前記延設固定部には係合部が設けられると共に、
前記本体部の上端部には、前記延設固定部に着脱可能に係止しうる係止部を有する取付片部が延設されていることを特徴とする請求項５記載の第二のトイレットペーパーホルダー用カバー部材。
【考案の詳細な説明】
【技術分野】
【０００１】
本考案は、トイレットペーパーホルダーに装着するカバーに関するものである。
【背景技術】
【０００２】
従来より、バスルームがバスタブ、シャワー、洗面台、トイレ等を備えたユニットバスが知られている。このようなユニットバスにおいて、シャワーを使用する際、シャワーが洗面台やトイレ側にかからないようにシャワーカーテンを使用することが多い。
しかしながら、シャワーカーテンを使用する場合であっても、シャワーからの水滴が広範囲に亘って飛散し、トイレ近傍に備え付けられたトイレットペーパーホルダーが濡れ、その結果、トイレットペーパーが使用できない状態になってしまうという不具合があった。
【０００３】
このような不具合を解消するために、例えば特許文献１にあっては、トイレットペーパーホルダー背面と一体化され、かつ両側面を覆う防水カバー本体と、トイレットペーパーホルダーの頂部から前面にかけて覆う防水カバー蓋であって、使用時に開放してトイレットペーパーの取出しが行える防水カバー蓋と、からなることを特徴とするトイレットペーパーホルダー用防水カバーが記載されている。
【０００４】
しかしながら、特許文献１にあっては、使用時に開放できるのはトイレットペーパーホルダーの頂部から前面にかけて覆う防水カバー蓋のみであるので、トイレットペーパーの両側面を開放することができず、その結果、トイレットペーパーロールの使用が妨げられるという不具合があった。
【先行技術文献】
【特許文献】
【０００５】
【特許文献１】特開第２００３−２３５７５５号公報
【考案の概要】
【考案が解決しようとする課題】
【０００６】
本考案は、以上のような従来からの不具合を解消するためのものであって、その課題は、ユニットバスのシャワーによりトイレットペーパーロールが濡れてしまうといった事態を確実に防止すると共に、トイレットペーパーロールの使用を妨げることがないトイレットペーパーホルダー用カバー部材を提供することにある。
【課題を解決するための手段】
【０００７】
前記課題を解決するために、請求項１記載の考案にあっては、トイレットペーパーロールを保持するトイレットペーパーホルダーを被覆するトイレットペーパーホルダー用カバー部材であって、前記トイレットペーパーホルダーのフラップ部上面に固定され、前記トイレットペーパーロールを被覆する平面長方形状の上部被覆部と、前記上部被覆部の幅方向両端部に配設され、前記トイレットペーパーロールの両側部を被覆する両側部被覆部とを備え、前記上部被覆部の幅方向両端部は、前記トイレットペーパーロールの引き出し方向に沿って前記両側部被覆部と接合されていることを特徴とする。
【０００８】
従って、前記トイレットペーパーロール及び前記トイレットペーパーホルダーは、前記上部被覆部及び前記両側部被覆部により被覆される。また、前記トイレットペーパーロールからトイレットペーパーを引き出して使用するために、前記上部被覆部をまくり上げた場合には、前記上部被覆部と接合された前記両側部被覆部も併せてまくり上げられる。
【０００９】
請求項２記載の考案にあっては、前記上部被覆部の後端部には、前記トイレットペーパーホルダーに取付固定するための延設固定部が形成され、前記上部被覆部は、前記上部被覆部と前記延設固定部との接合端部において幅方向に沿って回動可能に構成されていることを特徴とする。
【００１０】
従って、前記延設固定部は、前記トイレットペーパーホルダーの前記フラップ部の後端部に取付固定され、前記上部被覆部をまくりあげた場合には、前記上部被覆部と前記延設固定部との前記接合端部において幅方向に沿って回動し、前記両側部被覆部も併せてまくり上げられる。
【００１１】
請求項３記載の考案にあっては、前記上部被覆部の前端部には、前記両側部被覆部との接合端部から長さ方向外方に延設された延設被覆部が形成されていることを特徴とする。
【００１２】
従って、前記延設被覆部によって、前記トイレットペーパーロール及び前記トイレットペーパーホルダーの上部から前部に亘って被覆される。
【００１３】
請求項４記載の考案にあっては、請求項１〜３のいずれか１項に記載のトイレットペーパーホルダー用カバー部材の前記延設固定部に取付可能であって、予備のトイレットペーパーロールを収納しうる予備ロール収納部を有することを特徴とする。
【００１４】
従って、前記予備ロール収納部が前記トイレットペーパーホルダー用カバー部材の前記延設固定部に取付けられ、予備のトイレットペーパーロールが前記予備ロール収納部に収納される。
【００１５】
請求項５記載の考案にあっては、前記予備ロール収納部は、前記予備のトイレットペーパーロールを保持する本体部と、前記本体部を前方から被覆する蓋部とを有していることを特徴とする。
【００１６】
従って、前記予備のトイレットペーパーロールが前記本体部に保持された状態で、前記蓋部に被覆され、前記予備ロール収納部に収納される。
【００１７】
請求項６記載の考案にあっては、前記トイレットペーパーホルダー用カバー部材の前記延設固定部には係合部が設けられると共に、前記本体部の上端部には、前記延設固定部に着脱可能に係止しうる係止部を有する取付片部が延設されていることを特徴とする。
【００１８】
従って、前記取付片部の前記係止部が、前記延設固定部の前記係合部に係止されることによって、前記予備ロール収納部が前記トイレットペーパーホルダー用カバー部材に取り付けられる。
【考案の効果】
【００１９】
請求項１〜３記載のトイレットペーパーホルダー用カバー部材にあっては、前記トイレットペーパーロール及び前記トイレットペーパーホルダーは、前記上部被覆部及び前記両側部被覆部により被覆されるので、例えば、シャワーからの水滴が広範囲に亘って飛散した場合であっても、前記上部被覆部及び前記両側部被覆部によって前記トイレットペーパーロール及び前記トイレットペーパーホルダーへの水滴の接触が防止される。
また、前記トイレットペーパーロールからトイレットペーパーを引き出して使用するために、前記上部被覆部をまくり上げた場合には、前記上部被覆部と接合された前記両側部被覆部も併せてまくり上げられるので、前記上部被覆部及び前記両側部被覆部が前記トイレットペーパーロールに干渉することがなく、トイレットペーパーを引き出すことができる。
その結果、ユニットバスのシャワーによりトイレットペーパーロールが濡れてしまうといった事態を確実に防止すると共に、トイレットペーパーロールの使用を妨げることがないトイレットペーパーホルダー用カバー部材を提供することができる。
【００２０】
特に、請求項２記載のトイレットペーパーホルダー用カバー部材にあっては、前記延設固定部は、前記トイレットペーパーホルダーの前記フラップ部の後端部に取付固定され、前記上部被覆部をまくりあげた場合には、前記上部被覆部と前記延設固定部との前記接合端部において幅方向に沿って回動し、前記両側部被覆部も併せてまくり上げられるので、前記トイレットペーパーホルダー用カバー部材を容易に前記トイレットペーパーホルダーに取り付けることができる。
【００２１】
またさらに、請求項３記載のトイレットペーパーホルダー用カバー部材にあっては、前記延設被覆部によって、前記トイレットペーパーロール及び前記トイレットペーパーホルダーの上部から前部に亘って被覆されるので、例えば、シャワー等の水滴によって前記トイレットペーパーロールの上部から前部に亘って、前記トイレットペーパーロールが濡れてしまうといった事態を確実に防止することができる。
【００２２】
請求項４〜６記載の第二のトイレットペーパーホルダー用カバー部材にあっては、前記予備ロール収納部が前記トイレットペーパーホルダー用カバー部材の前記延設固定部に取付けられ、予備のトイレットペーパーロールが前記予備ロール収納部に収納されるので、予備のトイレットペーパーロールを収納できるトイレットペーパーホルダー用カバー部材を提供することができる。
【００２３】
特に、請求項５記載の第二のトイレットペーパーホルダー用カバー部材にあっては、前記予備のトイレットペーパーロールが前記本体部に保持された状態で、前記蓋部に被覆され、前記予備ロール収納部に収納されるので、例えば、シャワー等の水滴によって、前記予備のトイレットペーパーロールが濡れてしまうといった事態を確実に防止することができる。
【００２４】
またさらに、請求項６記載の第二のトイレットペーパーホルダー用カバー部材にあっては、前記取付片部の前記係止部が、前記延設固定部の前記係合部に係止されることによって、前記予備ロール収納部が前記トイレットペーパーホルダー用カバー部材に取り付けられるので、前記トイレットペーパーホルダー用カバー部材に対して、前記第二のトイレットペーパーホルダー用カバー部材を容易に取り付け、又は、取り外すことができる。
【図面の簡単な説明】
【００２５】
【図１】図１は、本考案に係るトイレットペーパーホルダー用カバー部材の一実施形態を示す斜視図である。
【図２】図２は、本考案に係るトイレットペーパーホルダー用カバー部材において、上部被覆部及び両側部被覆部をまくり上げた状態を示す斜視図である。
【図３】図３は、本考案に係るトイレットペーパーホルダー用カバー部材の一実施形態において、第二のトイレットペーパーホルダー用カバー部材を取り付けた状態を示す斜視図である。
【考案を実施するための形態】
【００２６】
以下、本考案の一実施の形態に係るトイレットペーパーホルダー用カバー部材を図面を参照して詳細に説明する。
【００２７】
図１〜図３に示すように、本実施の形態に係るトイレットペーパーホルダー用カバー部材１０は、全体透明な合成樹脂製であって、トイレットペーパーロール１１を保持するトイレットペーパーホルダー１２を被覆するように構成されている。
本実施の形態に係るトイレットペーパーホルダー１２は、図１〜図３に示すように、トイレットペーパーロール１１の両側部１６、１６を保持するロール保持部２４、２４と、ロール保持部２４、２４間に配設され、トイレットペーパーロール１１の上部を被覆すると共に、使用者が引き出したトイレットペーパーを所定の長さに切断するフラップ部１３と、ユニットバス等の壁面にネジ等により取付固定され壁面固定部（図示せず）とを有している。
【００２８】
図１〜図３に示すように、本実施の形態に係るトイレットペーパーホルダー用カバー部材１０は、トイレットペーパーホルダー１２のフラップ部１３上面に固定され、トイレットペーパーロール１１を被覆する平面長方形状の上部被覆部１４と、上部被覆部１４の幅方向両端部１５、１５に配設され、トイレットペーパーロール１１の両側部１６、１６を被覆する平面長方形状の両側部被覆部１７、１７とを備えている。
図１及び図３に示すように、本実施の携帯に係る上部被覆部１４の後端部１８は、フラップ部１３の上方に僅かに離間して配置されている。
図１〜図３に示すように、本実施の形態に係る上部被覆部１４の幅方向両端部１５、１５は、トイレットペーパーロール１１の引き出し方向（図中矢印Ａ）に沿って両側部被覆部１７、１７と接合されている。
【００２９】
図１〜図３に示すように、上部被覆部１４の後端部１８には、トイレットペーパーホルダー１２に取付固定するための延設固定部１９が形成され、図２に示すように、上部被覆部１４は、上部被覆部１４と延設固定部１９との接合端部２０において幅方向に沿って回動可能に構成されている。
【００３０】
図１〜図３に示すように、本実施の形態に係る上部被覆部１４の前端部２１には、両側部被覆部１７、１７との接合端部２２、２２から長さ方向外方に延設された平面長方形状の延設被覆部２３が形成されている。
【００３１】
また、図３に示すように、本実施の形態に係る第二のトイレットペーパーホルダー用カバー部材３０は、トイレットペーパーホルダー用カバー部材１０の延設固定部１９に取付可能であって、予備のトイレットペーパーロール３１を収納しうる予備ロール収納部３２を有している。
【００３２】
図３に示すように、本実施の形態に係る予備ロール収納部３２は、予備のトイレットペーパーロール３１を保持する本体部３３と、本体部３３の上端部３６において幅方向に沿って接合され、本体部３３を前方から開閉可能に被覆する蓋部３４とを有している。
図３に示すように、本実施の形態に係る蓋部３４の側面部３９、３９及び本体部３３の側面部４０、４０は、夫々、トイレットペーパーロール３１と略同一の曲率を有する円弧状に外方に膨出して形成されると共に、蓋部３４の側面部３９、３９は、本体部３３を被覆した場合に、本体部３３の側面部４０、４０の一部を夫々被覆し、予備ロール収納部３２の側面形状が涙滴形状となるように構成されている。
【００３３】
図３に示すように、トイレットペーパーホルダー用カバー部材１０の延設固定部１９には係合部３５が設けられると共に、本体部３３の上端部３６には、延設固定部１９に着脱可能に係止しうる係止部３７を有する取付片部３８が延設されている。本実施の形態に係る係合部３５は、略長円楕円体状の開口部として形成されると共に、係止部３７は先端が爪状形状を有する係止片部として形成され、係止部３７は、係合部３５に挿通固定されるように構成されている。
【００３４】
以下、本実施の形態に係るトイレットペーパーホルダー用カバー部材１０の作用について、添付図面を参照して説明する。
図１〜図３に示すように、本実施の形態に係るトイレットペーパーホルダー用カバー部材１０は、トイレットペーパーロール１１を保持させたトイレットペーパーホルダー１２のフラップ部１３の上面に対して、トイレットペーパーホルダー用カバー部材１０の上部被覆部１４を両面テープ等で接着固定することによって、トイレットペーパーホルダー用カバー部材１０をトイレットペーパーホルダー１２に取り付けて使用する。
また、他の取り付け方法として、図１〜図３に示すように、本実施の形態に係るトイレットペーパーホルダー用カバー部材１０は、トイレットペーパーホルダー１２のフラップ部１３と壁面固定部（図示せず）との間に、トイレットペーパーホルダー用カバー部材１０の延設固定部１９を挟持固定することによって、トイレットペーパーホルダー用カバー部材１０をトイレットペーパーホルダー１２に取り付けて使用する。
【００３５】
また、図３に示すように、本実施の形態に係る第二のトイレットペーパーホルダー用カバー部材３０は、取付片部３８に設けられた係止部３７を、トイレットペーパーホルダー用カバー部材１０の延設固定部１９に設けられた係合部３５に係止することによって、第二のトイレットペーパーホルダー用カバー部材３０をトイレットペーパーホルダー用カバー部材１０に取り付ける。
その後、図３に示すように、予備のトイレットペーパーロール３１を本体部３３に保持させ、蓋部３４を前方から本体部３３に被覆させることにより、予備のトイレットペーパーロール３１を予備ロール収納部３２に収納して使用する。
【００３６】
以上より、図１〜図３に示すように、本実施の形態に係るトイレットペーパーホルダー用カバー部材１０にあっては、トイレットペーパーロール１１及びトイレットペーパーホルダー１２は、上部被覆部１４及び両側部被覆部１７、１７により被覆されるので、例えば、シャワー等からの水滴が広範囲に亘って飛散した場合であっても、上部被覆部１４及び両側部被覆部１７、１７によってトイレットペーパーロール１１及びトイレットペーパーホルダー１２への水滴の接触が防止される。
また、図２に示すように、トイレットペーパーロール１１からトイレットペーパーを引き出して使用するために、上部被覆部１４をまくり上げた場合には、上部被覆部１４と接合された両側部被覆部１７、１７も併せてまくり上げられるので、上部被覆部１４及び両側部被覆部１７、１７がトイレットペーパーロール１１に干渉することがなく、トイレットペーパーを引き出すことができる。
その結果、ユニットバスのシャワーによりトイレットペーパーロールが濡れてしまうといった事態を確実に防止すると共に、トイレットペーパーロールの使用を妨げることがないトイレットペーパーホルダー用カバー部材を提供することができる。
【００３７】
また、図１〜図３に示すように、本実施の形態に係るトイレットペーパーホルダー用カバー部材１０にあっては、延設固定部１９は、トイレットペーパーホルダー１２のフラップ部１３の後端部に取付固定され、上部被覆部１４をまくりあげた場合には、上部被覆部１４と延設固定部１９との接合端部２０において幅方向に沿って回動し、両側部被覆部１７、１７も併せてまくり上げられるので、トイレットペーパーホルダー用カバー部材１０を容易にトイレットペーパーホルダー１２に取り付けることができる。
【００３８】
またさらに、図１〜図３に示すように、本実施の形態に係るトイレットペーパーホルダー用カバー部材１０にあっては、延設被覆部２３によって、トイレットペーパーロール１１及びトイレットペーパーホルダー１２の上部から前部に亘って被覆されるので、例えば、シャワー等の水滴によってトイレットペーパーロール１１の上部から前部に亘って、トイレットペーパーロール１１が濡れてしまうといった事態を確実に防止することができる。
またさらに、図１及び図３に示すように、本実施の携帯に係る上部被覆部１４の後端部１８は、フラップ部１３の上方に僅かに離間して配置されているので、上部被覆部１４が後端部１８から前部に至るに従って前方に傾斜して配置される。従って、例えば、シャワー等の水滴が上部被覆部１４に付着した場合であっても、水滴が前方へ垂れて落ち、その結果、上部被覆部１４に水滴が溜まるといった事態を防止することができる。
【００３９】
また、図３に示すように、本実施の形態に係る第二のトイレットペーパーホルダー用カバー部材３０にあっては、予備ロール収納部３２がトイレットペーパーホルダー用カバー部材１０の延設固定部１９に取付けられ、予備のトイレットペーパーロール３１が予備ロール収納部３２に収納されるので、予備のトイレットペーパーロール３１を収納できるトイレットペーパーホルダー用カバー部材を提供することができる。
【００４０】
特に、図３に示すように、本実施の形態に係る第二のトイレットペーパーホルダー用カバー部材３０にあっては、予備のトイレットペーパーロール３１が本体部３３に保持された状態で、蓋部３４に被覆され、予備ロール収納部３２に収納されるので、例えば、シャワー等の水滴によって、予備のトイレットペーパーロール３１が濡れてしまうといった事態を確実に防止することができる。
【００４１】
またさらに、図３に示すように、本実施の形態に係る第二のトイレットペーパーホルダー用カバー部材３０にあっては、取付片部３８の係止部３７が、延設固定部１９の係合部３５に係止されることによって、予備ロール収納部３２がトイレットペーパーホルダー用カバー部材１０に取り付けられるので、トイレットペーパーホルダー用カバー部材１０に対して、第二のトイレットペーパーホルダー用カバー部材３０を容易に取り付け、又は、取り外すことができる。
【００４２】
本実施の形態に係るトイレットペーパーホルダー用カバー部材１０を取り付けるトイレットペーパーホルダー１２は、図１〜図３に示すように、トイレットペーパーロール１１の両側部１６、１６を保持するロール保持部２４、２４と、ロール保持部２４、２４間に配設され、トイレットペーパーロール１１の上部を被覆すると共に、使用者が引き出したトイレットペーパーを所定の長さに切断するフラップ部１３と、ユニットバス等の壁面にネジ等により取付固定され壁面固定部（図示せず）とを有している場合を例に説明したが、前記構成に限定されるものではなく、種々のトイレットペーパーホルダーに取り付けて使用することができる。
【産業上の利用可能性】
【００４３】
本考案に係るトイレットペーパーホルダー用カバーは、トイレットペーパーホルダーのカバーとして広く利用可能であり、産業上利用可能性を有している。
【符号の説明】
【００４４】
１０、３０：トイレットペーパーホルダー用カバー部材
１１、３１：トイレットペーパーロール
１２：トイレットペーパーホルダー
１３：フラップ部
１４：上部被覆部
１５：上部被覆部の幅方向両端部
１６：トイレットペーパーロールの両側部
１７：両側部被覆部
１８：上部被覆部の後端部
１９：延設固定部
２０：上部被覆部と延設固定部との接合端部
２１：上部被覆部の前端部
２２：上部被覆部と両側部被覆部との接合端部
２３：延設被覆部
２４：ロール保持部
３２：予備ロール収納部
３３：本体部
３４：蓋部
３５：係合部
３６：本体部の上端部
３７：係止部
３８：取付片部
３９：蓋部の側面部
４０：本体部の側面部
【図１】
0003208423.tif 000003
【図２】
0003208423.tif 000004
【図３】
0003208423.tif 000005
【手続補正書】
【提出日】平成28年11月8日(2016.11.8)
【手続補正１】
【補正対象書類名】実用新案登録請求の範囲
【補正対象項目名】請求項４
【補正方法】変更
【補正の内容】
【請求項４】
請求項２に記載のトイレットペーパーホルダー用カバー部材の前記延設固定部に取付可能であって、予備のトイレットペーパーロールを収納しうる予備ロール収納部を有することを特徴とする第二のトイレットペーパーホルダー用カバー部材。